【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ワイヤレス非対称ネットワークを提供するためのシステムであって、
ワイヤレス非対称ネットワークアーキテクチャにおいて通信及び電力消費を制御するように構成されたワイヤレス制御デバイスを有する第１のハブと、
前記ワイヤレス非対称ネットワークアーキテクチャにおいて前記第１のハブの前記ワイヤレス制御デバイスとの双方向通信を可能にするために、送信機及び受信機を備えたワイヤレスデバイスを各々が有する第１の複数のノードと、
を具備し、
前記ワイヤレス制御デバイスが、
各ワイヤレスデバイスについて前記送信機がワイヤレス通信を送信することを可能にしかつ前記受信機がワイヤレス通信を受信することを可能にする第１のスケジュールされたタイミングを決定して、前記複数のノードの前記ワイヤレスデバイスの電力消費を低減するように構成され、
前記第１のハブは、
少なくとも１つのノードから最初に通信を受信したときに、又は、前記第１の複数のノードの少なくとも２つのワイヤレスデバイスのうちの少なくとも１つのワイヤレスデバイスから前記第１のスケジュールされたタイミングの間において少なくとも１つの理解不可能な通信を受信したときに、
前記少なくとも２つのワイヤレスデバイスについて、同時に送信すべきでない複数のノードが送信を重ねないように前記送信機が送信することを可能にし、かつ、前記受信機が受信することを可能にする、異なる第２のスケジュールされたタイミングを決定することにより、衝突防止特徴を提供する、ことを特徴とするシステム。
【請求項２】
前記第１のハブが商用電源により電力を供給され、前記第１の複数のノードの各々がバッテリ源により電力を供給されて、前記ワイヤレス非対称ネットワークが形成される、請求項１に記載のシステム。
【請求項３】
各ワイヤレスデバイスについて前記送信機を送信可能にしかつ前記受信機を受信可能にする前記第１のスケジュールされたタイミングが、前記ハブと前記第１の複数のノードの各ワイヤレスデバイスとの間における通信のタイミングに基づいて決定され、
前記第１の複数のノードの各ワイヤレスデバイスのための前記送信機が、第１の時間区間の５％未満送信するように動作可能であり、前記第１の複数のノードの各ワイヤレスデバイスの前記受信機が、前記第１の時間区間の５％未満受信するように動作可能であり、
前記第１の複数のノードは、前記ワイヤレスデバイスの送信機及び受信機がそれぞれ送信及び受信するように動作可能でないときに、非通信状態にある、請求項１に記載のシステム。
【請求項４】
前記ワイヤレス非対称ネットワークアーキテクチャにおいて通信及び電力消費を制御するように構成されたワイヤレス制御デバイスを有する第２のハブと、
前記ワイヤレス非対称ネットワークアーキテクチャにおいて前記第２のハブの前記ワイヤレス制御デバイスとの双方向通信を可能にするために、送信機及び受信機を備えたワイヤレスデバイスを各々が有する第２の複数のノードと、
をさらに具備し、
前記第２制御デバイスの前記ワイヤレス制御デバイスが、前記第２の複数のノードの各ワイヤレスデバイスについて前記送信機を送信可能にしかつ前記受信機を受信可能にするスケジュールされたタイミングを決定して、前記第２の複数のノードの前記ワイヤレスデバイスの電力消費を低減するように構成され、
前記ワイヤレス制御デバイスを有する前記第２のハブが、前記第１のハブに通信を送信しかつ前記第１のハブから通信を受信して、前記ワイヤレス非対称ネットワークアーキテクチャを制御及び監視する、請求項１に記載のシステム。
【請求項５】
前記ワイヤレス非対称ネットワークアーキテクチャが、ワイヤレスツリー非対称ネットワークアーキテクチャを含み、
前記ワイヤレス非対称ネットワークアーキテクチャが、ワイヤレスツリー及びメッシュ非対称ネットワークアーキテクチャを含む、請求項１に記載のシステム。
【請求項６】
前記第１の複数のノードのうちの端末ノードのワイヤレスデバイスについて前記送信機を受信可能にする前記第１のスケジュールされたタイミングが、前記ワイヤレスデバイスから前記ハブに対して送信されている通信のタイミングに基づいて決定され、
第２のスケジュールされたタイミングを決定することは、理解不可能である通信の少なくとも一部分を受信することに基づいて前記少なくとも１つの理解不可能な通信を決定した後、複数のノードから略同時に送信された通信の衝突により生じている前記少なくとも１つの理解不可能な通信の確からしさを決定することを含む、請求項１に記載のシステム。
【請求項７】
前記第１のハブの前記ワイヤレス制御デバイスが、２.４ＧＨｚより高い周波数帯域で動作する無線周波数（ＲＦ）回路を含み、
前記第１の複数のノードの各ワイヤレスデバイスの前記送信機及び前記受信機もまた、２.４ＧＨｚより高い周波数で動作し、これにより、
各ワイヤレスデバイスについて前記送信機のＲＦ回路を送信可能にするための第２の時間区間及び前記受信機のＲＦ回路を受信可能にするための第３の時間区間を最小化して、前記第１の複数のノードの前記ワイヤレスデバイスの電力消費を低減すし、
前記第１のハブの前記ＲＦ回路が５ＧＨｚより高い周波数帯域で動作し、
前記第１の複数のノードの各ワイヤレスデバイスの前記送信機及び前記受信機もまた、５ＧＨｚより高い周波数帯域で動作し、これにより、
各ワイヤレスデバイスについて前記送信機のＲＦ回路を送信可能にするための前記第２時間区間及び前記受信機を受信可能にするための前記第３時間区間を最小化して、前記第１の複数のノードの前記ワイヤレスデバイスの電力消費を低減する、請求項１に記載のシステム。
【請求項８】
ワイヤレス非対称ネットワークアーキテクチャを提供するための装置であって、
命令を記憶するメモリと、
命令を実行してワイヤレス非対称ネットワークアーキテクチャにおいて通信を確立及び制御する１又はそれ以上の処理ユニットと、
前記ワイヤレス非対称ネットワークアーキテクチャにおいて通信を送受信する無線周波数（ＲＦ）回路であって、前記ワイヤレス非対称ネットワークアーキテクチャにおいて当該装置の当該ＲＦ回路との双方向通信を可能にするために送信機及び受信機を備えたワイヤレスデバイスを各々が有する複数のノードに通信を送信するＲＦ回路と、
前記１又はそれ以上の処理ユニットが、命令を実行して、
各ワイヤレスデバイスについて前記送信機がワイヤレス通信を送信することを可能にしかつ前記受信機がワイヤレス通信を受信することを可能にする第１のスケジュールされたタイミングを決定して、前記複数のノードの前記ワイヤレスデバイスの電力消費を低減するように構成され、
当該装置は、
少なくとも１つのノードから最初に通信を受信したときに、又は、前記第１の複数のノードの少なくとも２つのワイヤレスデバイスのうちの少なくとも１つのワイヤレスデバイスから前記第１のスケジュールされたタイミングの間において少なくとも１つの理解不可能な通信を受信したときに、
前記少なくとも２つのワイヤレスデバイスについて、同時に送信すべきでない複数のノードが送信を重ねないように前記送信機が送信することを可能にし、かつ、前記受信機が受信することを可能にする、異なる第２のスケジュールされたタイミングを決定することにより、衝突防止特徴を提供する、ことを特徴とする装置。
【請求項９】
当該装置が商用電源により電力を供給され、前記複数のノードの各々がバッテリ源又はエネルギー源により電力を供給されて、ワイヤレス非対称ネットワークが形成され、
各ワイヤレスデバイスについて前記送信機を送信可能にしかつ前記受信機を受信可能にする前記第１のスケジュールされたタイミングが、当該装置のトランシーバと前記複数のノードの各ワイヤレスデバイスとの間における通信のタイミングに基づいて決定され、
前記複数のノードのうちの端末ノードの少なくとも１つのワイヤレスデバイスについて前記送信機を送信可能にする前記第１のスケジュールされたタイミングが、前記少なくとも１つのワイヤレスデバイスから当該装置の前記ＲＦ回路に送信されている通信のタイミングに基づいて決定される、請求項８に記載の装置。
【請求項１０】
各ワイヤレスデバイスについての前記送信機が第１の時間区間の５％未満送信するために動作可能であり、各ワイヤレスデバイスについての前記受信機が前記第１時間区間の５％未満受信するために動作可能であり、
前記ワイヤレス非対称ネットワークアーキテクチャが、ワイヤレスツリー非対称ネットワークアーキテクチャ、並びに、ワイヤレスツリー及びメッシュ非対称ネットワークアーキテクチャのうちの少なくとも一方を含み、
当該装置が、前記複数のノードの前記ワイヤレスデバイスの前記受信機がいつオンであるかを、前記複数のノードの前記ワイヤレスデバイスから当該装置への送信された通信のタイミングに基づいて認識する、請求項８に記載の装置。
【請求項１１】
当該装置の前記ＲＦ回路が２.４ＧＨｚより高い周波数帯域で動作し、
第１の複数の第１のノードの各ワイヤレスデバイスの前記送信機及び前記受信機もまた、２.４ＧＨｚより高い周波数帯域で動作し、これにより、
各ワイヤレスデバイスについて、前記送信機のＲＦ回路を送信可能にする第２の時間区間及び前記受信機のＲＦ回路を受信可能にする第３の時間区間を最小化して、前記第１の複数のノードの前記ワイヤレスデバイスの電力消費を低減する、請求項８に記載の装置。
【請求項１２】
ワイヤレス非対称ネットワークアーキテクチャにおいて電力消費を低減するための方法であって、
ハブとの非対称通信を確立して前記ワイヤレス非対称ネットワークアーキテクチャを形成するために、送信機及び受信機を備えたワイヤレスデバイスを各々が有する複数のセンサノードから、前記ハブの処理ロジックを用いて受信する段階と、
各ワイヤレスデバイスについて同時に送信すべきでない複数のノードが送信を重ねないように前記送信機がワイヤレス通信を送信することを可能にしかつ前記受信機がワイヤレス通信を受信することを可能にする第１のスケジュールされたタイミングを、前記ハブの前記処理ロジックを用いて決定して、前記複数のセンサノードの前記ワイヤレスデバイスの電力消費を低減する段階と、
を含み、
前記ハブが、前記ノードのうちの１つのノードから最初に通信を受信したときに、又は、前記第１の複数のノードの少なくとも２つのワイヤレスデバイスのうちの少なくとも１つのワイヤレスデバイスから前記第１のスケジュールされたタイミングの間において少なくとも１つの理解不可能な通信を受信したときに、
前記少なくとも２つのワイヤレスデバイスについて、前記送信機が送信することを可能にしかつ前記受信機が受信することを可能にする、異なる第２のスケジュールされたタイミングを決定することにより、衝突防止特徴を提供する、ことを特徴とする方法。
【請求項１３】
前記ハブが商用電源により電力を供給され、前記複数のノードの各々がバッテリ源により電力を供給されて、前記ワイヤレス非対称ネットワークアーキテクチャが形成され、
各ワイヤレスデバイスについて前記送信機を送信可能にしかつ前記受信機を受信可能にする前記第１のスケジュールされたタイミングが、前記ハブと前記複数のノードの各ワイヤレスデバイスとの間における通信のタイミングに基づいて決定される、請求項１２に記載の方法。
【請求項１４】
前記ワイヤレス非対称ネットワークアーキテクチャが、ワイヤレスツリー非対称ネットワークアーキテクチャを含み、
前記ワイヤレス非対称ネットワークアーキテクチャがワイヤレスツリー及びメッシュ非対称ネットワークアーキテクチャを含み、
前記複数のノードの少なくとも１つのワイヤレスデバイスについて前記受信機を受信可能にする前記第１のスケジュールされたタイミングが、前記少なくとも１つのワイヤレスデバイスから前記ハブに送信されている通信のタイミングに基づいて決定される、請求項１２に記載の方法。
【請求項１５】
ワイヤレス非対称ネットワークアーキテクチャのためのセンサノードであって、
命令を記憶するメモリと、
該メモリに結合され、命令を実行して、当該センサノードのための通信を処理する、処理ロジックと、
該処理ロジックに結合され、送信機機能及び受信機機能を含んで、前記ワイヤレス非対称ネットワークアーキテクチャにおいてハブに通信を送信しかつ前記ハブから通信を受信する、無線周波数（ＲＦ）回路と、
屋内環境の状態を含む状態を検知するための少なくとも１つのモーションセンサ及び少なくとも１つのイメージセンサを含み、前記送信機機能及び受信機機能がそれぞれ自動的に通信を送信及び受信しないように動作して当該センサノードの電力消費を低減することが可能である間に検知を行うよう動作することが可能な検知回路と、
を具備し、
前記処理ロジックが、前記送信機機能を送信可能にしかつ前記受信機機能を受信可能にする第１のスケジュールされたタイミングの命令を実行して、当該センサノードの電力消費を低減するように構成され、
前記処理ロジックは、ワイヤレス非対称ネットワークアーキテクチャにおける他のセンサノードが送信をしているときに当該センサノードが送信を行わないことにより衝突を回避するように、前記送信機機能の送信を可能にする異なる第２のスケジュールされたタイミングの命令を実行するように構成される、ことを特徴とするセンサノード。
【請求項１６】
バッテリ源又は別のエネルギー源により電力を供給される、請求項１５に記載のセンサノード。
【請求項１７】
前記第１のスケジュールされたタイミングの前記命令が、当該センサノードから前記ハブに送信されている通信のタイミングに基づいて前記ハブから受信される、請求項１５に記載のセンサノード。
【請求項１８】
前記送信機機能が第１の時間区間の５％未満送信のために動作可能であり、前記受信機機能が前記第１の時間区間の５％未満受信のために動作可能である、請求項１５に記載のセンサノード。
【請求項１９】
前記センサノードの前記ＲＦ回路が２.４ＧＨｚより高い周波数帯域で動作する、請求項１５に記載のセンサノード。